【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
電気幹線を形成するバスダクトのハウジングに設けられたプラグインホールに対してプラグイン装置の接触子を挿入する際のバスダクトプラグインホール保護構造において、
前記バスダクトには、前記プラグインホールの平面視において該プラグインホールの領域の内側にその一部が配置されて前記プラグイン装置の接触子が接続される導体と、前記プラグインホールを開閉可能に閉塞する扉部材と、前記扉部材が開放方向に動くことを係止するロック部材とが設けられ、
前記プラグイン装置には、前記プラグインホールへ前記プラグイン装置を近づける動作に応じ、前記扉部材を開方向へ動かす扉開放部と、前記プラグインホールへ前記プラグイン装置を近づける動作に応じて前記ロック部材を動かして該ロック部材による前記扉部材の係止を解除するロック解除部とが設けられることを特徴とするバスダクトプラグインホール保護構造。
【請求項２】
電気幹線を形成するバスダクトのハウジングに設けられたプラグインホールに対してプラグイン装置の接触子を挿入する際のバスダクトプラグインホール保護構造において、
前記バスダクトには、前記プラグインホールの平面視において該プラグインホールの領域の内側にその一部が配置されて前記プラグイン装置の接触子が接続される導体と、前記プラグインホールを回動軸の回動により開閉可能に閉塞する扉部材とが設けられ、
前記プラグイン装置には、前記プラグインホールへ前記プラグイン装置を近づける動作に応じ、前記扉部材を開方向へ回動させる扉開放部が設けられることを特徴とするバスダクトプラグインホール保護構造。
【請求項３】
前記扉部材は、前記扉開放部により開方向へ回動させられた際、前記バスダクトの側面視において、前記回動軸と反対側の端部が前記導体の上側端部よりも上方に位置することを特徴とする請求項２に記載のバスダクトプラグインホール保護構造。
【請求項４】
電気幹線を形成するバスダクトのハウジングに設けられたプラグインホールに対してプラグイン装置の接触子を挿入する際のバスダクトプラグインホール保護構造において、
前記プラグインホールは、複数の前記接触子をまとめて挿通可能な大きさに形成され、
前記バスダクトには、前記プラグインホールの平面視において該プラグインホールの領域の内側にその一部が配置されて前記プラグイン装置の接触子が接続される導体と、前記プラグインホールをスライドにより開閉可能に閉塞する扉部材とが設けられ、
前記プラグイン装置には、前記プラグインホールへ前記プラグイン装置を近づける動作に応じ、前記扉部材を開方向へスライドさせる扉開放部が設けられ、
前記扉開放部が前記扉部材に対して当接して前記扉部材を開方向へスライドさせ、複数の前記接触子が前記プラグインホールにまとめて挿入されることを特徴とするバスダクトプラグインホール保護構造。
【手続補正２】
【補正対象書類名】明細書
【補正対象項目名】００１９
【補正方法】変更
【補正の内容】
【００１９】  また、本発明によれば、前記バスダクトには、前記シャッタ部材が開放方向に動くことを係止するロック部材が設けられ、前記プラグイン装置には、前記プラグインホールへ前記プラグイン装置を近づける動作に応じて前記ロック部材を動かして該ロック部材による前記シャッタ部材の係止を解除するロック解除部が設けられていることを特徴としている。
さらに、本発明は、電気幹線を形成するバスダクトのハウジングに設けられたプラグインホールに対してプラグイン装置の接触子を挿入する際のバスダクトプラグインホール保護構造において、前記バスダクトには、前記プラグインホールの平面視において該プラグインホールの領域の内側にその一部が配置されて前記プラグイン装置の接触子が接続される導体と、前記プラグインホールを開閉可能に閉塞する扉部材と、前記扉部材が開放方向に動くことを係止するロック部材とが設けられ、前記プラグイン装置には、前記プラグインホールへ前記プラグイン装置を近づける動作に応じ、前記扉部材を開方向へ動かす扉開放部と、前記プラグインホールへ前記プラグイン装置を近づける動作に応じて前記ロック部材を動かして該ロック部材による前記扉部材の係止を解除するロック解除部とが設けられることを特徴としている。
【手続補正３】
【補正対象書類名】明細書
【補正対象項目名】００２０
【補正方法】変更
【補正の内容】
【００２０】  このため、例えば作業者が不用意にシャッタ部材（扉部材）に触れてしまうような場合には、ロックが解除されないためシャッタ部材（扉部材）が開くことはなく、プラグインホールの保護がより一層強固なものとなる。その一方で、プラグインホールにプラグイン装置を近づけて挿入する際に、シャッタ部材（扉部材）のロックが自動で解除されるため、施工性を極力損なうことなく容易に挿入可能である。
【手続補正４】
【補正対象書類名】明細書
【補正対象項目名】００２２
【補正方法】変更
【補正の内容】
【００２２】  また、本発明によれば、シャッタ部材が回動軸を有し、回動軸の回動によりプラグインホールを開閉することを特徴としている。また、プラグイン装置のシャッタ開放部が、シャッタ部材のうち回動軸に近い部分を垂直若しくは垂直に近い角度で押圧することでシャッタ部材を回動させることを特徴としている。このため、プラグイン装置の挿入長さに対するシャッタ部材の開放方向への回動量、及び、挿入状態のプラグイン装置の引き抜き長さに対するシャッタ部材の閉塞方向への回動量が大きくなり、迅速な開閉が可能になる。その結果、シャッタ部材を開閉させるためのプラグイン装置の移動距離を短縮できる。これにより、例えば、プラグイン装置の着脱を考慮してバスダクトの周囲に予め確保する施工用スペースを縮小することも可能となる。
また、本発明は、電気幹線を形成するバスダクトのハウジングに設けられたプラグインホールに対してプラグイン装置の接触子を挿入する際のバスダクトプラグインホール保護構造において、前記バスダクトには、前記プラグインホールの平面視において該プラグインホールの領域の内側にその一部が配置されて前記プラグイン装置の接触子が接続される導体と、前記プラグインホールを回動軸の回動により開閉可能に閉塞する扉部材とが設けられ、前記プラグイン装置には、前記プラグインホールへ前記プラグイン装置を近づける動作に応じ、前記扉部材を開方向へ回動させる扉開放部が設けられることを特徴としている。
さらに、本発明は、前記扉部材が、前記扉開放部により開方向へ回動させられた際、前記バスダクトの側面視において、前記回動軸と反対側の端部が前記導体の上側端部よりも上方に位置することを特徴としている。
さらに、本発明は、前記扉部材の前記回動軸が、前記バスダクトの長手方向に直交するように設けられていることを特徴としている。
さらに、本発明は、電気幹線を形成するバスダクトのハウジングに設けられたプラグインホールに対してプラグイン装置の接触子を挿入する際のバスダクトプラグインホール保護構造において、前記プラグインホールは、複数の前記接触子をまとめて挿通可能な大きさに形成され、前記バスダクトには、前記プラグインホールの平面視において該プラグインホールの領域の内側にその一部が配置されて前記プラグイン装置の接触子が接続される導体と、前記プラグインホールをスライドにより開閉可能に閉塞する扉部材とが設けられ、前記プラグイン装置には、前記プラグインホールへ前記プラグイン装置を近づける動作に応じ、前記扉部材を開方向へスライドさせる扉開放部が設けられ、前記扉開放部が前記扉部材に対して当接して前記扉部材を開方向へスライドさせ、複数の前記接触子が前記プラグインホールにまとめて挿入されることを特徴としている。